(57)【要約】【課題】  壁や天井などに生じたクラックの長さを精度高く、しかも容易に測定することが可能なクラック測定器を提供する。【解決手段】  測定者が把持する棒状の測定ロッド２の先端側に、クラックＣ上に沿って回転移動自在な測定ホイール３を配設し、測定ホイール３の移動距離を算出する算出手段３ｃ、６１、６２、４４と、この算出手段による算出結果を表示する表示部４３を備える。測定ホイール３をクラックＣ上に沿って回転移動させることで、クラックＣの長さを精度高く測定することができ、しかも、測定ホイール３をクラックＣ上に沿って回転移動させるだけでよいため、クラックＣの長さを容易に測定することが可能となる。【選択図】  図１
2009174950.tif 000002
【特許請求の範囲】
【請求項１】
壁や天井などに生じたクラックの長さを測定するクラック測定器であって、
測定者が把持する棒状の測定ロッドと、
前記測定ロッドの先端側に配設され、前記クラック上に沿って回転移動自在な測定体と、
前記測定体の移動距離を算出する算出手段と、
前記算出手段による算出結果を表示する表示手段と、
を備えることを特徴とするクラック測定器。
【請求項２】
前記測定ロッドの先端側に配設され、前記クラックの幅を測定する幅測定手段を備えることを特徴とする請求項１に記載のクラック測定器。
【請求項３】
前記算出手段による算出結果を積算する機能を備えることを特徴とする請求項１に記載のクラック測定器。
【発明の詳細な説明】
【技術分野】
【０００１】
この発明は、壁や天井などに生じたクラック（亀裂）の長さを測定するクラック測定器に関する。
【背景技術】
【０００２】
壁や天井などにクラックが発生した場合、クラックを修繕工事する前に、クラックの長さを測定して工期や工事費の見積もりなどを行う必要がある。そして、クラックの長さを測定するには、従来、クラックに沿って直線状の定規を当て、定規の目盛りを読み取って測定していた。また、指し棒にスケール（目盛り）が設けられてクラックの長さが測定できるとともに、容易にクラックの位置を測定することができるというクラック表示用指し棒が知られている（例えば、特許文献１参照。）。
【特許文献１】特開平８−９４７５２号公報
【発明の開示】
【発明が解決しようとする課題】
【０００３】
ところで、壁などに生じるクラックは、直線的なものはほとんどなく、曲線的あるいはジグザグ状で、しかも不規則な形状をしている。このため、直線状の定規や上記特許文献１の指し棒をクラックに沿って当てて測定しても、クラックの長さを正確に測定することができない。また、クラックが長い場合には、クラックをいくつかに分割して各箇所の長さを測定し、測定結果を加算して全体の長さを測定しなければならないが、手間がかかるばかりでなく、精度高く測定することが困難である。
【０００４】
そこでこの発明は、壁や天井などに生じたクラックの長さを精度高く、しかも容易に測定することが可能なクラック測定器を提供することを目的とする。
【課題を解決するための手段】
【０００５】
上記目的を達成するために請求項１に記載の発明は、壁や天井などに生じたクラックの長さを測定するクラック測定器であって、測定者が把持する棒状の測定ロッドと、前記測定ロッドの先端側に配設され、前記クラック上に沿って回転移動自在な測定体と、前記測定体の移動距離を算出する算出手段と、前記算出手段による算出結果を表示する表示手段と、を備えることを特徴とする。
【０００６】
この発明によれば、測定ロッドを把持して、測定体をクラック上に沿って回転移動させると、算出手段によって測定体の移動距離、つまりクラックの長さが算出され、その算出結果がクラックの長さとして表示手段に表示される。
【０００７】
請求項２に記載の発明は、請求項１に記載のクラック測定器において、前記測定ロッドの先端側に配設され、前記クラックの幅を測定する幅測定手段を備えることを特徴とする。
【０００８】
請求項３に記載の発明は、請求項１に記載のクラック測定器において、前記算出手段による算出結果を積算する機能を備えることを特徴とする。
【発明の効果】
【０００９】
請求項１に記載の発明によれば、クラックが曲線的（非直線的）、不規則な形状であっても、測定体をクラック上に沿って回転移動させることで、クラックの長さを精度高く測定することができる。しかも、測定ロッドを把持して、測定体をクラック上に沿って回転移動させるだけでよいため、クラックの長さを容易に測定することが可能となる。
【００１０】
請求項２に記載の発明によれば、幅測定手段を備えているため、クラックの長さだけではなく、クラックの幅をも測定することができる。つまり、ひとつのクラック測定器で、長さと幅とを測定することができ、作業性が向上する。
【００１１】
請求項３に記載の発明によれば、算出手段による算出結果を積算する機能を備えているため、例えば、ひとつのクラックが長く複数回にわたって測定体をクラック上に沿って回転移動させる必要がある場合に、各箇所（各回）で算出した算出結果を積算することで、クラックの全長を測定することが可能となる。
【発明を実施するための最良の形態】
【００１２】
以下、この発明を図示の実施の形態に基づいて説明する。
【００１３】
図１は、この発明の実施の形態に係るクラック測定器１を示す正面図である。このクラック測定器１は、壁や天井などに生じたクラックＣの長さを測定する測定器であり、測定ロッド２の先端側に測定ホイール（測定体）３が回転移動自在に配設され、この測定ホイール３の移動距離によってクラックＣの長さを測定するものである。
【００１４】
すなわち、測定ロッド２は、測定者・作業者が把持する長尺で棒状の管体で、基端側にグリップ２ａが形成されている。また、グリップ２ａの近傍には、後述する操作パネル４が配設され、測定ロッド２の先端には、支持板５が固定されている。この支持板５は断面が「コ」字状で、「コ」字の開口側に回転支持軸５１が、測定ロッド２の軸方向と垂直に配設されている。そして、この回転支持軸５１を軸にして回転自在に測定ホイール３が配設されている。
【００１５】
測定ホイール３は円盤形で、外周面３ａが円弧状に形成され、図示のように、クラックＣに接触（嵌合）しやすいようになっている。つまり、外周面３ａが円弧状に形成されているため、クラックＣの大きさ、形状に係らず、外周面３ａがクラックＣと接触し、測定ホイール３がクラックＣの上に沿って円滑に回転移動できるようになっている。
【００１６】
また、図２に示すように、測定ホイール３の周縁近傍で回転支持軸５１を中心とするピッチ円３ｂ上には、検出孔３ｃが等間隔に複数形成され、ピッチ円３ｂ上で対向するように一対の発光器６１と受光器６２とが、支持板５に配設されている。発光器６１と受光器６２とは、リード線（図示せず）を介して操作パネル４に接続され、発光器６１から発光された光が検出孔３ｃを通過して受光器６２で受光、検出されると、その検出結果が操作パネル４に送られるようになっている。そして、発光器６１から光が発光された状態で測定ホイール３が回転移動すると、その回転角度、回転数に応じて受光器６２で光が検出され、操作パネル４において次のようにして、測定ホイール３の移動距離が算出される。
【００１７】
すなわち、操作パネル４は、図１、３に示すように、測定スイッチ４１と、終了スイッチ４２と、表示部（表示手段）４３と、演算処理部４４とを備えている。測定スイッチ４１は、クラックＣの長さを測定中に押下（オン）するスイッチで、このスイッチが押下されると、演算処理部４４から発光器６１に発光指令が送られて発光器６１から光が発光され、押下が解除されると、演算処理部４４から発光器６１に停止指令が送られて発光器６１からの発光が停止される。また、終了スイッチ４２は、クラックＣの長さの測定が終了した際に押下するスイッチで、このスイッチが押下されると、演算処理部４４での算出結果（後述するメモリ）がクリアされ、表示部４３の表示がクリアされる。
【００１８】
表示部４３は、演算処理部４４による算出結果、つまりクラックＣの長さなどを表示するディスプレイで、ＬＣＤ（Ｌｉｑｕｉｄ  Ｃｒｙｓｔａｌ  Ｄｉｓｐｌａｙ）から構成されている。演算処理部４４は、表示部４３および発光器６１、受光器６２を制御するとともに、受光器６２からの検出結果に基づいて、測定ホイール３の移動距離を算出する。すなわち、図２に示すように、測定ホイール３の検出孔３ｃ、３ｃ間に対応する外周の長さをピッチＰとし、測定スイッチ４１の押下中に受光器６２から光の検出結果をＮ回受信した場合には、「Ｐ×Ｎ」を測定ホイール３の移動距離として算出する。そして、このようにして算出した移動距離（算出結果）を順次、リアルタイムに表示部４３に表示するものである。
【００１９】
さらに、この算出結果を積算する機能を備えている。すなわち、測定スイッチ４１の押下を解除する（測定スイッチ４１をオフする）と、直近の算出結果がメモリ（図示せず）に記憶され、表示部４３は、直近の移動距離を表示した状態が維持される。続いて、測定スイッチ４１が再び押下されると、メモリに記憶された算出結果に、上記と同様にして算出された移動距離が順次加算され、その加算結果が表示部４３に表示される。このような算出、加算が、終了スイッチ４２が押下されるまで繰り返されるものである。以上のように、この実施の形態では、測定ホイール３の検出孔３ｃと、発光器６１と、受光器６２と、演算処理部４４とによって、算出手段が構成されている。
【００２０】
また、測定ロッド４の先端側、つまり支持板５の上面には、図４に示すような幅スケール板（幅測定手段）７が取り付けられている。この幅スケール板７は、透明の板で構成され、支持板５から突出した板面上に、スケール７ａが記されている。すなわち、幅が１〜６ｍｍのサンプル線がスケール７ａとして記され、幅スケール板７をクラックＣの上に位置させて、各サンプル線とクラックＣの幅とを見比べることで、クラックＣの幅を測定できるものである。
【００２１】
さらに、支持板５には、図５に示すような転写アダプタ（幅測定手段）８が着脱自在となっている。この転写アダプタ８は断面が「コ」字状で、両側板８ａが弾性変形自在で、両側板８ａに取り付け孔が形成されている。そして、両側板８ａを広げて、取り付け孔に回転支持軸５１の端部を挿入、装着することで、転写アダプタ８が支持板５に取り付けられるようになっている。また、転写アダプタ８の正面側（測定ホイール３の対向面側）には、粘土製の転写層８ｂが形成され、この転写層８ｂをクラックＣに押し付けることで、クラックＣの形状が転写層８ｂに転写される。そして、転写されたクラックＣ１の幅を定規などで測ることで、間接的にクラックＣの幅を測定できるものである。
【００２２】
次に、このような構成のクラック測定器１の作用および、クラック測定器１を用いてクラックＣの長さや幅を測定する測定方法について説明する。
【００２３】
まず、測定ロッド２のグリップ２ａを握り、クラックＣの長さを測定する場合には、測定ホイール３の外周面３ａをクラックＣの一端部上に位置させ、測定スイッチ４１を押下した状態で、測定ホイール３をクラックＣ上に沿って回転移動させる。これにより、上記のように、発光器６１から光が発光され、受光器６２からの光検出結果に基づいて、測定ホイール３の移動距離、つまりクラックＣの長さが算出され、リアルタイムに表示部４３に表示される。そして、測定ホイール３の外周面３ａがクラックＣの他端部上に位置した時点で測定スイッチ４１の押下を解除すると、表示部４３に表示された数値がクラックＣの長さとなる。
【００２４】
また、クラックＣが長い、あるいは足場が不安定などのために、測定ホイール３をクラックＣの全長にわたって一度に走査させることが困難な場合には、次のようにする。すなわち、クラックＣの一部の長さを上記のように測定した後に測定スイッチ４１の押下を解除し、測定ロッド２を握り替えたり、足場を替えたりする。その後、測定スイッチ４１の押下を解除したクラックＣの位置に測定ホイール３の外周面３ａを位置させ、再び測定スイッチ４１を押下した状態で、測定ホイール３をクラックＣ上に沿って回転移動させる。これにより、上記のように、測定ホイール３の移動距離が順次加算され、累計のクラックＣの長さが表示部４３に表示される。このような積算操作は、異なる複数のクラックＣに対しても適用することができる。すなわち、終了スイッチ４２を押下せずに、各クラックＣの長さを上記のようにして測定、加算することで、異なる複数のクラックＣの総全長を測定することができる。そして、長さの測定が終了した際には、終了スイッチ４２を押下することで、演算処理部４４のメモリがクリアされ、表示部４３の表示がクリアされる。
【００２５】
一方、クラックＣの幅を測定する場合には、上記のように、幅スケール板７をクラックＣの上に位置させ、スケール７ａの各サンプル線とクラックＣの幅とを見比べてクラックＣの幅を測定する。また、測定環境が暗い、あるいは狭いなどために、幅スケール板７での目視測定が困難な場合には、支持板５に転写アダプタ８を取り付け、転写層８ｂをクラックＣに押し付けてクラックＣの形状を転写層８ｂに転写させる。そして、転写されたクラックＣ１の幅を定規などで測って、クラックＣの幅を測定する。
【００２６】
以上のように、このクラック測定器１によれば、クラックＣが曲線的、あるいは不規則な形状などであっても、測定ホイール３をクラックＣ上に沿って回転移動させることで、クラックＣの長さを精度高く測定することができる。また、積算する機能を備えているため、上記のようにして、長いクラックＣの全長や、異なる複数のクラックＣの総全長などを測定することができる。しかも、測定ホイール３をクラックＣ上に沿って回転移動させるだけでよいため、クラックＣの長さを容易に測定することが可能となる。また、上記のようにしてクラックＣの幅も測定でき、ひとつのクラック測定器１でクラックＣの長さと幅とを測定することができて作業性が向上する。しかも、転写アダプタ８を使ってクラックＣの形状を転写させることで、クラックＣの幅を精度高く測定することが可能となる。
【００２７】
以上、この発明の実施の形態について説明したが、具体的な構成は、この実施の形態に限られるものではなく、この発明の要旨を逸脱しない範囲の設計の変更等があっても、この発明に含まれる。例えば、上記の実施の形態では、測定体が円盤形の測定ホイール３であるが、球体としてもよく、あるいは測定ホイール３の外周面３ａを三角状とし、外周面３ａがクラックＣに嵌合さする（挿入される）ようにしてもよい。また、測定ロッド２を、例えば２つの管体から構成し、伸縮自在にしてもよい。一方、上記の実施の形態では、測定ホイール３の検出孔３ｃと、発光器６１と、受光器６２と、演算処理部４４とによって算出手段を構成しているが、他の構成であってもよい。例えば、測定ホイール３と一体的に回転する接触子を等間隔に複数配設するとともに、支持板５に検出子を固定し、接触子と検出子との接触回数によって測定ホイール３の移動距離を算出してもよい。また、測定ホイール３に検出孔３ｃを形成せずに、測定ホイール３と一体的に回転する別の回転体に検出孔３ｃを形成してもよい。
【図面の簡単な説明】
【００２８】
【図１】この発明の実施の形態に係るクラック測定器を示す正面図である。
【図２】図１のクラック測定器の測定ホイールと発光器と受光器との位置関係を示す斜視図である。
【図３】図１のクラック測定器の操作パネルの概略構成ブロック図である。
【図４】図１のクラック測定器をＡ方向から見た平面図である。
【図５】図１のクラック測定器に転写アダプタを取り付けた状態を示す正面図（ａ）と底面図（ｂ）である。
【符号の説明】
【００２９】
１        クラック測定器
２        測定ロッド
３        測定ホイール（測定体）
３ｃ      検出孔（算出手段）
４        操作パネル
４１      測定スイッチ
４２      終了スイッチ
４３      表示部（表示手段）
４４      演算処理部（算出手段）
５        支持板
６１      発光器（算出手段）
６２      受光器（算出手段）
７        幅スケール板（幅測定手段）
８        転写アダプタ（幅測定手段）
８ｂ      転写層
Ｃ        クラック
【図１】
2009174950.tif 000003
【図２】
2009174950.tif 000004
【図３】
2009174950.tif 000005
【図４】
2009174950.tif 000006
【図５】
2009174950.tif 000007